(57)【要約】【課題】中間冷却器での熱交換に用いられた冷却水を更に活用して熱効率を高める。【解決手段】復水器２０と、復水器２０に貯留された貯留水を冷却して冷却水とする冷却塔３０と、復水器２０から排出される蒸気と冷却塔３０からの冷却水との熱交換を行う中間冷却器５０と、を備える復水システム１００であって、復水器２０が、蒸気タービン１０から排出された蒸気が導入され、複数の噴霧管から噴霧される冷却水により蒸気を冷却する復水室２０と、復水室２０により冷却された蒸気が導入され、蒸気を冷却して外部へ排出する冷却室２０と、を有し、中間冷却器５０で蒸気との熱交換が行われた冷却水を冷却室２０に供給する供給流路６４を備える復水システム１００を提供する。【選択図】図１
2015114023.tif 000002
【特許請求の範囲】
【請求項１】
蒸気タービンから排出された蒸気を冷却する復水器と、
前記復水器にて凝縮され、該復水器に貯留された貯留水を冷却して冷却水とする冷却塔と、
前記復水器から排出される蒸気と前記冷却塔からの前記冷却水との熱交換を行う中間冷却器と、を備える復水システムであって、
前記復水器が、
蒸気タービンから排出された蒸気が導入され、複数の噴霧管から噴霧される前記冷却水により前記蒸気を冷却する復水部と、
該復水部により冷却された前記蒸気が導入され、該蒸気を冷却して外部へ排出する冷却部と、を有し、
前記中間冷却器で前記蒸気との熱交換が行われた前記冷却水を前記冷却部に供給する供給流路を備える復水システム。
【請求項２】
前記冷却部は、前記復水部から前記蒸気が導入される開口部が下方に設けられ、前記蒸気が流通する流路を形成する筐体を有し、
前記流路は、前記筐体の高さ方向の複数の位置に配置され複数の孔が形成された複数の多孔板により仕切られて形成される流路であり、
前記供給流路は、前記中間冷却器で前記蒸気との熱交換が行われた前記冷却水を、前記複数の多孔板のうち最上段よりも下方に配置される前記多孔板に供給する請求項１に記載の復水システム。
【請求項３】
前記供給流路は、前記中間冷却器で前記蒸気との熱交換が行われた前記冷却水を、前記複数の多孔板のうち最下段の前記多孔板に供給する請求項２に記載の復水システム。
【請求項４】
前記蒸気を排気する蒸気タービンと、
前記蒸気タービンにより得られる回転動力を基に発電を行う発電装置と、
請求項１から請求項３のいずれか１項に記載の復水システムと、
を備える発電設備。
【発明の詳細な説明】
【技術分野】
【０００１】
本発明は、復水システムおよびそれを備えた発電設備に関するものである。
【背景技術】
【０００２】
ボイラ等により蒸気を発生させる火力発電プラントなどでは、タービンにて仕事を終えた蒸気を再利用するため、冷却水と蒸気が直接接しない表面接触式復水器が利用されることが多い。一方、地熱発電においては、地中より連続的に噴気する蒸気を使用しその蒸気を再利用しないため、直接接触式復水器が利用されることが多い。
【０００３】
例えば特許文献１には、鉛直に配設された冷却水供給管が有するノズル体から冷却水を噴霧することにより、蒸気を凝縮させる直接接触式復水器が開示されている。
【先行技術文献】
【特許文献】
【０００４】
【特許文献１】特開２０１３−１４８２９６号公報
【発明の概要】
【発明が解決しようとする課題】
【０００５】
特許文献１に開示された復水器において、非凝縮気体等を含む蒸気は、胴部（復水室）の下流に設けられた排出口から排出される。特許文献１では、排出口から排出される蒸気を更に冷却する構成についての開示がない。この排出口から排出される蒸気には、非凝縮気体等が含まれており、更に冷却して凝縮させることが望ましい。そして、この冷却には、冷却塔にて冷却された復水器のホットウェルの貯留水を冷却源として用いることが考えられる。
冷却塔の冷却水を冷却源として用いる場合、排出口から排出された蒸気との熱交換に用いられた冷却水の温度は熱交換後に高まるが、ホットウェルの貯留水より十分に低温となる場合がある。この熱交換後の冷却水をそのままホットウェルの貯留水として戻してしまうと、冷却水を十分に活用することができない。
【課題を解決するための手段】
【０００６】
本発明は、このような事情に鑑みてなされたものであって、復水器に貯留された貯留水を冷却する冷却塔からの冷却水によって復水器から排出される蒸気を冷却する中間冷却器を備えた復水システムにおいて、中間冷却器での熱交換に用いられた冷却水を更に活用して熱効率を高めた復水システムおよびそれを備えた発電設備を提供することを目的とする。
【０００７】
上記課題を解決するために本発明は、以下の手段を採用する。
本発明に係る復水システムは、蒸気タービンから排出された蒸気を冷却する復水器と、前記復水器にて凝縮され、該復水器に貯留された貯留水を冷却して冷却水とする冷却塔と、前記復水器から排出される蒸気と前記冷却塔で冷却された前記貯留水との熱交換を行う中間冷却器と、を備える復水システムであって、前記復水器が、蒸気タービンから排出された蒸気が導入され、複数の噴霧管から噴霧される前記冷却水により前記蒸気を冷却する復水部と、該復水部により冷却された前記蒸気が導入され、該蒸気を冷却して外部へ排出する冷却部と、を有し、前記中間冷却器で前記蒸気との熱交換が行われた前記冷却水を前記冷却部に供給する供給流路を備える。
【０００８】
本発明に係る復水システムによれば、蒸気タービンから排出された蒸気は、復水器が備える復水部および冷却部で冷却され、復水器の外部に排出される。復水器の外部に排出された蒸気は、中間冷却器にて、冷却塔からの冷却水との熱交換により更に冷却される。中間冷却器において蒸気の冷却に用いられた冷却水は、供給路を介して復水器の冷却部に供給される。復水器の冷却部に供給された冷却水は、復水器の復水部から冷却部に導入される蒸気を冷却する冷却源として用いられる。
【０００９】
このようにすることで、復水器に貯留された貯留水を冷却する冷却塔からの冷却水によって復水器から排出される蒸気を冷却する中間冷却器を備えた復水システムにおいて、中間冷却器での熱交換に用いられた冷却水を更に活用して熱効率を高めた復水システムを提供することができる。
【００１０】
本発明の一態様の復水器は、前記冷却部は、前記復水部から前記蒸気が導入される開口部が下方に設けられ、前記蒸気が流通する流路を形成する筐体を有し、前記流路は、前記筐体の高さ方向の複数の位置に配置され複数の孔が形成された複数の多孔板により仕切られて形成される流路であり、前記供給流路は、前記中間冷却器で前記蒸気との熱交換が行われた前記冷却水を、前記複数の多孔板のうち最上段よりも下方に配置される前記多孔板に供給する。
【００１１】
本態様の復水器によれば、復水部から冷却部に導入された蒸気は、冷却部の下方から上方に向けて形成された流路内を流通する。冷却部の筐体内には、複数の多孔板により仕切られた流路が形成されており、流路内を流通する蒸気は、最上段の多孔板から下方へ滴下する冷却水により冷却される。この複数の多孔板の最上段よりも下方に配置される多孔板に、中間冷却器で蒸気との熱交換が行われた冷却水が供給され、復水部から冷却部に導入された蒸気の冷却に用いられる。
【００１２】
このようにすることで、復水部から冷却部に導入されて最上段の多孔板に到達する以前の比較的高温の蒸気と、中間冷却器から供給される熱交換後の冷却水との熱交換が行われるので、中間冷却器での熱交換に用いられた冷却水を更に活用して熱効率を高めることができる。
【００１３】
上記態様において、前記供給流路は、前記中間冷却器で前記蒸気との熱交換が行われた前記冷却水を、前記複数の多孔板のうち最下段の前記多孔板に供給するようにしてもよい。
このようにすることで、復水部から冷却部に導入された直後の高温の蒸気と、中間冷却器から供給される熱交換後の冷却水との熱交換が行われるので、中間冷却器での熱交換に用いられた冷却水を更に活用して熱効率を高めることができる。
【００１４】
本発明に係る発電設備は、前記蒸気を排気する蒸気タービンと、前記蒸気タービンにより得られる回転動力を基に発電を行う発電装置と、上記のいずれかに記載の復水システムとを備える。
このようにすることで、復水器に貯留された貯留水を冷却する冷却塔からの冷却水によって復水器から排出される蒸気を冷却する中間冷却器を備えた復水システムであって、中間冷却器での熱交換に用いられた冷却水を更に活用して熱効率を高めた復水システムを備えた発電設備を提供することができる。
【発明の効果】
【００１５】
本発明によれば、復水器に貯留された貯留水を冷却する冷却塔からの冷却水によって復水器から排出される蒸気を冷却する中間冷却器を備えた復水システムにおいて、中間冷却器での熱交換に用いられた冷却水を更に活用して熱効率を高めた復水システムおよびそれを備えた発電設備を提供することができる。
【図面の簡単な説明】
【００１６】
【図１】本発明の一実施形態にかかる復水システムを示す系統図である。
【図２】図１に示す復水器の横断面図である。
【図３】図２に示す復水器のＡ−Ａ矢視断面図である。
【図４】図２に示す復水器のＢ−Ｂ矢視断面図である。
【図５】図４に示す冷却室の部分拡大図である。
【発明を実施するための形態】
【００１７】
以下に、本発明の一実施形態について、図面を参照して説明する。
本実施形態の復水システム１００は、対流型地熱発電設備や高温岩体型地熱発電に適用可能である。対流側型地熱発電設備は、火山活動による地熱で高温となった蒸気や高温の地下水を地上に汲み出すことにより、発電に必要な蒸気を得る設備である。一方、高温岩体型地熱発電設備は、地熱により高温となった地層に注水を行うことにより、発電に必要な蒸気を得る設備である。高温岩体型地熱発電設備は、地下に注水を行うための坑井を有している。
【００１８】
図１に示すように、本実施形態の復水システム１００を含む発電設備は、蒸気タービン１０と、復水器２０と、冷却塔３０と、エジェクタ４０と、中間冷却器５０とを備える。
ここで、図２は、復水器２０の横断面図である。すなわち、復水器２０の高さ方向の略中間位置を断面とし、その断面を復水器２０の上方からみた図となっている。排出口２７は、横断面には表れないので、仮想線（２点鎖線）にて、その位置が示されている。
【００１９】
図２に示すように、蒸気タービン１０から排出された蒸気は、復水器２０の中間胴２０ａから導入され、復水室２０ｂ（復水部）に導かれる。復水室２０ｂに導入された蒸気は冷却され、冷却室２０ｃに導入される。冷却室２０ｃに導入された蒸気（約５０℃）は、更に冷却され、復水器２０の外部に排出される。外部に排出される蒸気は約２５℃となっている。
【００２０】
中間冷却器５０は、復水器２０から排出される蒸気と冷却塔３０からの冷却水（約２０℃）との熱交換を行う装置である。中間冷却器５０で蒸気との熱交換が行われた冷却水（約４０℃）は、供給流路６４を介して冷却室２０ｃに供給される。供給流路６４を介して冷却室２０ｃに供給される冷却水（約４０℃）は、後述するように、冷却室２０ｃに導入される蒸気（約５０℃）の冷却に用いられる。
このように、中間冷却器５０で蒸気の冷却に用いられた冷却水を更に活用し、復水室２０ｂから冷却室２０ｃに導入された蒸気の冷却に用いることで、熱効率を高めた復水システム１００を提供することができる。
【００２１】
以下、本実施形態の復水システム１００の各部について説明する。
蒸気タービン１０は、地中から噴出する蒸気または熱水を、気水分離器（不図示）などで減圧することにより得られる蒸気により発電装置（不図示）を駆動する装置である。気水分離器（不図示）などで減圧された蒸気は、蒸気導入流路１を介して蒸気タービン１０に導入される。発電装置は、蒸気タービンにより得られる回転動力を基に発電を行う。
【００２２】
蒸気タービン１０に導入された蒸気は、蒸気タービン１０を回転させる動力として仕事をした後に排出され、復水器２０の中間胴２０ａを介して復水室２０ｂに導入される。復水室２０ｂ内は、蒸気タービン１０の起動時には、エジェクタや真空ポンプなどの空気抽出器（不図示）により減圧される。また、蒸気タービン１０の通常運転時には復水器２０が蒸気タービン１０から導入される蒸気を冷却することにより復水器２０の内部が減圧された状態となる。蒸気タービン１０から復水器２０に導入される蒸気の温度は、諸処の条件により変化するが、約５０℃である。
【００２３】
復水室２０ｂの中間胴２０ａ側の側面には、導入口２１が設けられている。中間胴２０ａの復水室２０ｂ側の側面と、復水室２０ｂの中間胴２０ａ側の側面とは、導入口２１を介して連通した状態となっている。
一方、復水室２０ｂの冷却室２０ｃ側の側面には、第１開口部２２と、第２開口部２３とが設けられている。
【００２４】
第１開口部２２には復水室２０ｂで冷却された蒸気の一部が導入され、第２開口部２３には復水室２０ｂで冷却された蒸気の他の一部が導入される。図２に示す様に、第１開口部２２の第２方向の幅と、第２開口部２３の第２方向の幅とは同幅となっている。したがって、復水室２０ｂで冷却された蒸気（約５０℃）は、第１開口部２２と第２開口部２３のそれぞれに、半分に分割されて導入される。
【００２５】
復水室２０ｂの内部には、内部に冷却水が流通する円筒形状の噴霧管２４（噴霧管２４ａ，２４ｂ，２４ｃを含む）が、図２および図３に示すように、複数配置されている。複数の噴霧管２４のそれぞれには、高さ方向の異なる位置、かつ、横断面における周方向の異なる位置（図２中では９０°ずつの４箇所の位置）に、冷却水を噴霧する噴霧口が設けられている。噴霧管１１は、復水室２０ｂの底部から鉛直方向の上方に向けて延在するように配設されている。
【００２６】
複数の噴霧管２４のそれぞれは、下端部がヘッダ２５に連結されており、上端部が封止されている。ヘッダ２５には冷却水供給流路６０を介して冷却塔３０から送水される冷却水が供給されている。ヘッダに供給された冷却水は、複数の噴霧管２４のそれぞれに供給され、各噴霧管２４が備える噴霧口から復水室２０ｂの内部に放射状に噴霧される。復水室２０ｂの内部を流通する蒸気と、噴霧口から噴霧された冷却水が直接接触することにより、蒸気が冷却される。
【００２７】
図３に示すように、複数の噴霧管２４は、開口部２１のおける蒸気の進行方向に対して略垂直となるように所定の間隔で配設されている。開口部２１は、噴霧管２４の噴霧口に対向する位置に設けられている。これにより、中間胴２０ａから開口部２１を介して復水室２０ｂに導入される蒸気が、冷却水により十分に冷却されるようになっている。
【００２８】
復水室２０ｂでの冷却により凝縮した蒸気と、噴霧管２４から噴霧された冷却水は、図３に示す復水室２０ｂの底部に設けられたホットウェル２６に貯留水として貯留される。一方、復水室２０ｂでの冷却では凝縮しなかった蒸気は、その一部が第１開口部２２を介して第１流路２０ｄに流入し、他の一部が第２開口部２３を介して第２流路２０ｅに流入する。
【００２９】
図３および図４に示すように、第１開口部２２は第１流路２０ｄを形成する筐体の下方に設けられており、第２開口部２３は第２流路２０ｅを形成する筐体の下方に設けられている。
図２で流通方向が矢印で示される蒸気は、流通方向を変えずに復水室２０ｂを通過し、第１開口部２２および第２開口部２３を介して、それぞれ第１流路２０ｄおよび第２流路２０ｅに導入される。
【００３０】
第１流路２０ｄに導入された蒸気の流通方向は、図２に示す流通方向（第１方向）から、第１方向に直交する第２方向に切り換えられる。図４に矢印で示すように、第１流路２０ｄは、第１開口部２２から導入されて第２方向に流通方向が切り換えられた蒸気を、第１流路２０ｄを形成する筐体の端部で折り返しながら、下方から上方に流通させる。第１流路２０ｄの最上部に到達した蒸気は、排出口２７を介して復水器２０の外部に排出される。
【００３１】
また、第２流路２０ｅに導入された蒸気の流通方向は、図２に示す流通方向（第１方向）から、第１方向に直交する第２方向に切り換えられる。図４に矢印で示すように、第２流路２０ｅは、第２開口部２３から導入されて第２方向に流通方向が切り換えられた蒸気を、第２流路２０ｅを形成する筐体の端部で折り返しながら、下方から上方に流通させる。第２流路２０ｅの最上部に到達した蒸気は、排出口２７を介して復水器２０の外部に排出される。
【００３２】
図３および図４に示すように、第１流路２０ｄは、第１流路２０ｄを形成する筐体の高さ方向の複数の位置に配置される多孔板２８（２８ａ，２８ｂ，２８ｃ）により仕切られて形成される流路である。各多孔板２８には、図４中に斜線で示されるように、複数の孔が形成された多孔部が形成されている。
【００３３】
図４に示すように、第１流路２０ｄの筐体の上部には、最上段に配置される多孔板２８ｃに冷却水を供給する供給部６１ａが設けられている。供給部６１ａには、冷却水供給流路６０から分岐した分岐流路６１を介して冷却塔３０からの冷却水が供給される。供給部６１ａに供給された冷却水は、最上段に配置される多孔板２８ｃに供給され、多孔板２８ｃの多孔部に設けられた孔を介して下段の多孔板２８ｂに滴下する。同様に、多孔板２８ｂに供給された冷却水は、多孔板２８ｂに設けられた孔を介して最下段の多孔板２８ａに滴下する。更に、多孔板２８ａに供給された冷却水は、多孔板２８ａに設けられた孔を介してホットウェル２６に滴下する。
【００３４】
また、図４に示すように、第１流路２０ｄの筐体の中段には、最下段に配置される多孔板２８ａに冷却水を供給する供給部６４ａが設けられている。供給部６４ａには、流路６３から分岐した供給流路６４を介して中間冷却器５０からの冷却水（約４０℃）が供給される。供給部６４ａに供給された冷却水は、最下段に配置される多孔板２８ａに供給され、多孔板２８ａの多孔部に設けられた孔を介してホットウェル２６に滴下する。
【００３５】
図５に拡大図を示すように、多孔板２８ａは、仕切板２０１と、多孔部２０２と、多孔部２０３により構成されている。仕切板２０１は、多孔板２８ｂから多孔部２０２に滴下する冷却水と、供給部６４ａから多孔部２０３に滴下する冷却水とが多孔板２８ａ上で混合しないようにするための板状部材である。多孔板２８ｂから多孔部２０２に滴下する冷却水と、供給部６４ａから多孔部２０３に滴下する冷却水との混合を防止することにより、温度の異なるこれらの冷却水が混合して熱交換してしまうことを防止する。この熱交換を防止することにより、冷却室２０ｃにおける冷却効率が悪化してしまうことが防止される。
【００３６】
供給部６４ａから供給されて多孔部２０３からホットウェル２６に滴下する冷却水（約４０℃）は、第１開口部２２から第１流路２０ｄに導入された直後の蒸気（約５０℃）を冷却するために用いられる。このようにすることで、中間冷却器５０での蒸気の冷却に用いられた冷却水をそのままホットウェル２６に戻してしまう場合に比べ、冷却室２０ｃを備える復水器２０の冷却効率を高めることができる。
【００３７】
図３および図４に示すように、第２流路２０ｅは、第２流路２０ｅを形成する筐体の高さ方向の複数の位置に配置される多孔板２９（２９ａ，２９ｂ，２９ｃ）により仕切られて形成される流路である。各多孔板２９には、図４中に斜線で示されるように、複数の孔が形成された多孔部が形成されている。
【００３８】
図４に示すように、第２流路２０ｅの筐体の上部には、最上段に配置される多孔板２９ｃに冷却水を供給する供給部６１ｂが設けられている。供給部６１ｂには、冷却水供給流路６０から分岐した分岐流路６１を介して冷却塔３０からの冷却水が供給される。供給部６１ｂに供給された冷却水は、最上段に配置される多孔板２９ｃに供給され、多孔板２９ｃの多孔部に設けられた孔を介して下段の多孔板２９ｂに滴下する。同様に、多孔板２９ｂに供給された冷却水は、多孔板２９ｂに設けられた孔を介して最下段の多孔板２９ａに滴下する。更に、多孔板２９ａに供給された冷却水は、多孔板２９ａに設けられた孔を介してホットウェル２６に滴下する。
【００３９】
また、図４に示すように、第２流路２０ｅの筐体の中段には、最下段に配置される多孔板２９ａに冷却水を供給する供給部６４ｂが設けられている。供給部６４ｂには、流路６３から分岐した供給流路６４を介して中間冷却器５０からの冷却水（約４０℃）が供給される。供給部６４ｂに供給された冷却水は、最下段に配置される多孔板２９ａに供給され、多孔板２９ａの多孔部に設けられた孔を介してホットウェル２６に滴下する。
【００４０】
図５に拡大図を示すように、多孔板２９ａは、仕切板２０４と、多孔部２０５と、多孔部２０６により構成されている。仕切板２０４は、多孔板２９ｂから多孔部２０５に滴下する冷却水と、供給部６４ｂから多孔部２０６に滴下する冷却水とが多孔板２８ａ上で混合しないようにするための板状部材である。多孔板２８ｂから多孔部２０２に滴下する冷却水と、供給部６４ａから多孔部２０６に滴下する冷却水との混合を防止することにより、温度の異なるこれらの冷却水が混合して熱交換してしまうことを防止する。この熱交換を防止することにより、冷却室２０ｃにおける冷却効率が悪化してしまうことが防止される。
【００４１】
供給部６４ｂから供給されて多孔部２０６からホットウェル２６に滴下する冷却水（約４０℃）は、第２開口部２３から第２流路２０ｅに導入された直後の蒸気（約５０℃）を冷却するために用いられる。このようにすることで、中間冷却器５０での蒸気の冷却に用いられた冷却水をそのままホットウェル２６に戻してしまう場合に比べ、冷却室２０ｃを備える復水器２０の冷却効率を高めることができる。
【００４２】
このように、供給部６１ａ，６１ｂ，６４ａ，６４ｂから供給された冷却水は、第１流路２０ｄ，第２流路２０ｅの上方から下方に向けて滴下する。複数の多孔板２８のそれぞれの間には、第１開口部２２から流入した蒸気が通過するようになっており、これらの蒸気は、上段の多孔板２８から下段の多孔板２８に滴下する冷却水により冷却される。同様に、複数の多孔板２９のそれぞれの間には、第２開口部２３から流入した蒸気が通過するようになっており、これらの蒸気は、上段の多孔板２９から下段の多孔板２９に滴下する冷却水により冷却される。
【００４３】
復水器２０の排出口２７から排出された蒸気は、排出流路４１を介してエジェクタ４０に供給される。エジェクタ４０は、蒸気導入流路１から供給される蒸気を噴射することにより内部に負圧を発生させ、その負圧によって排出流路４１内の蒸気を排出流路４２に排出する装置である。負圧の大きさは、蒸気導入流路１に設けられた調整弁７０により調整されるようになっている。
【００４４】
エジェクタ４０によって排出流路４２に排出された蒸気は、中間冷却器５０に導入される。中間冷却器５０には、冷却塔３０からの冷却水が、冷却水供給流路６０から分岐した分岐流路６２を介して供給される。中間冷却器５０に導入された蒸気（約２５℃）は、分岐流路６２から供給される冷却水（約２０℃）によって冷却される。中間冷却器５０により冷却された蒸気は、ブロワ８０によって冷却塔３０に導かれ、外部（大気中）に排出される。
【００４５】
中間冷却器５０による冷却により凝縮した蒸気と、分岐流路６２を介して供給された冷却水は、その一部が流路６３を介してホットウェル２６に供給される。流路６３を介してホットウェル２６に戻る冷却水は、約４０℃となっている。中間冷却器５０による冷却により凝縮した蒸気と、分岐流路６２を介して供給された冷却水の他の一部は、供給流路６４を介して冷却室２０ｃの供給部６４ａ，６４ｂに供給される。流路６３から供給流路６４に分岐させる冷却水の流量は、制御部（不図示）が流量調整弁６５を制御することにより調整される。
【００４６】
次に、ホットウェル２６に貯留された貯留水の循環について説明する。
ホットウェル２６に貯留された貯留水（約４５℃）は、貯留水送水流路９１に設けられたホットウェルポンプ９０により、貯留水送水流路９１を介して、ホットウェル２６から冷却塔３０に送水される。
【００４７】
冷却塔３０は、貯留水送水流路９１を介して供給される貯留水を散水装置により散水して貯留水を冷却する。冷却塔３０により冷却された貯留水は、冷却水（約２０℃）となって、冷却水供給流路６０に供給される。
冷却水供給流路６０に供給された冷却水は、復水器２０のヘッダ２５に供給されて復水室２０ｂ内で噴霧され、再びホットウェル２６に貯留される。
【００４８】
以上説明した本実施形態の復水システム１００が備える復水器２０が奏する作用および効果について説明する。
本実施形態の復水システム１００によれば、蒸気タービン１０から排出された蒸気は、復水器２０が備える復水室２０ｂ（復水部）および冷却室２０ｃ（冷却部）で冷却され、復水器２０の外部に排出される。復水器２０の外部に排出された蒸気は、中間冷却器５０にて、冷却塔３０からの冷却水との熱交換により更に冷却される。中間冷却器５０において蒸気の冷却に用いられた冷却水は、供給路６４を介して復水器２０の冷却室２０ｃに供給される。復水器２０の冷却室２０ｃに供給された冷却水は、復水器２０の復水室２０ｂから冷却室２０ｃに導入される蒸気を冷却する冷却源として用いられる。
【００４９】
このようにすることで、復水器２０に貯留された貯留水を冷却する冷却塔３０からの冷却水によって復水器２０から排出される蒸気を冷却する中間冷却器５０を備えた復水システム１００において、中間冷却器５０での熱交換に用いられた冷却水を更に活用して熱効率を高めた復水システム１００を提供することができる。
【００５０】
本実施形態の復水器２０によれば、復水室２０ｂから冷却室２０ｃに導入された蒸気は、冷却室２０ｃの下方から上方に向けて形成された流路内を流通する。冷却室２０ｃの筐体内には、複数の多孔板２８，２９により仕切られた流路が形成されており、流路内を流通する蒸気は、最上段の多孔板２８ｃ，２９ｃから下方へ滴下する冷却水により冷却される。また、この複数の多孔板２８，２９の最下段に配置される多孔板２８ａ，２９ａに、中間冷却器５０で蒸気との熱交換が行われた冷却水が供給され、復水室２０ｂから冷却室２０ｃに導入された直後の蒸気の冷却に用いられる。
【００５１】
このようにすることで、復水室２０ｂから冷却室２０ｃに導入されて最上段の多孔板２８ｃ，２９ｃに到達する以前の比較的高温の蒸気と、中間冷却器５０から供給される熱交換後の冷却水との熱交換が行われるので、中間冷却器５０での熱交換に用いられた冷却水を更に活用して熱効率を高めることができる。
【００５２】
本実施形態の発電設備は、蒸気を排気する蒸気タービン１０と、蒸気タービン１０により得られる回転動力を基に発電を行う発電装置と、復水システム１００とを備える。
このようにすることで、復水器２０に貯留された貯留水を冷却する冷却塔３０からの冷却水によって復水器２０から排出される蒸気を冷却する中間冷却器５０を備えた復水システム１００であって、中間冷却器５０での熱交換に用いられた冷却水を更に活用して熱効率を高めた復水システム１００を備えた発電設備を提供することができる。
【００５３】
以上の説明において、中間冷却器５０での蒸気の冷却に用いられた冷却水は、供給部６４ａ，６４ｂから最下段の多孔板２８ａ，２９ａに供給されるものとしたが他の態様であってもよい。
例えば、供給部６４ａ，６４ｂから供給される冷却水の温度が熱交換の対象となる蒸気の温度よりも十分に低いという条件が満たされる場合は、中段の多孔板２８ｂ，２９ｂに冷却水を供給するように、供給部６４ａ，６４ｂを中段の多孔板２８ｂ，２９ｂよりも上部に設けてもよい。
【符号の説明】
【００５４】
１      蒸気導入流路
１０    蒸気タービン
２０    復水器
２０ａ  中間胴
２０ｂ  復水室（復水部）
２０ｃ  冷却室（冷却部）
２０ｄ  第１流路
２０ｅ  第２流路
２４    噴霧管
３０    冷却塔
６０    冷却水供給流路
６４    供給流路
９１    貯留水送水流路
１００  復水システム
【図１】
2015114023.tif 000003
【図２】
2015114023.tif 000004
【図３】
2015114023.tif 000005
【図４】
2015114023.tif 000006
【図５】
2015114023.tif 000007